(57)【特許請求の範囲】
【請求項１】
筒状となる口頸部を有し内容液を収容可能な容器本体と、該口頸部に装着され、操作レバーを牽曳することによりポンプを作動させて該内容液を内部通路を通して噴出口から噴出させる噴出器とを備えるトリガー式液体噴出容器において、
前記容器本体は、前記内容液の収容空間を有し減容変形可能な内層体と、該内層体を内側に納めて該容器本体の外殻をなすとともに該内層体との相互間に通じる通気口を有する外層体とを備える二重容器であって、
前記口頸部の内側に配置される有底筒状の本体部と、一端が前記収容空間に通じるとともに他端が前記内部通路に通じるパイプ部とを有するアダプターを設けたトリガー式液体噴出容器。
【請求項２】
前記噴出器は、前記口頸部に設けた雄ねじ部に対応する雌ねじ部を有する装着キャップと、該装着キャップを回転可能且つ抜け出し不能に保持するインテイクを有し、
前記インテイクは、前記アダプターに連結する爪部を有する請求項１に記載のトリガー式液体噴出容器。
【請求項３】
前記本体部と前記パイプ部とを一体に連結してなる請求項１又は２に記載のトリガー式液体噴出容器。
【請求項４】
前記本体部は前記パイプ部を挿通させる筒状部を有し、該筒状部は該パイプ部の外周面に当接するシール部を有する請求項１又は２に記載のトリガー式液体噴出容器。
【請求項５】
前記パイプ部は、前記本体部の底面から前記収容空間に向けて突出するものであって、該パイプ部の下端開口は、前記容器本体の正立姿勢において、該収容空間に収容された内容液の液面よりも下方に位置する請求項１〜４のいずれか一項に記載のトリガー式液体噴出容器。
【発明の詳細な説明】
【技術分野】
【０００１】
本発明は、操作レバーを牽曳することによってポンプを作動させて、容器本体に収容した内容液を噴出させるトリガー式液体噴出容器に関する。
【背景技術】
【０００２】
洗剤や整髪剤、芳香剤等の内容液を入れた容器においては、操作レバーを牽曳することによってポンプを作動させて内容液を噴出させるトリガー式液体噴出容器が多用されており、これにより内容液の効率的な供給を可能にしている。
【０００３】
かかるトリガー式液体噴出容器においては、容器が正立姿勢及び倒立姿勢のいずれにおいても内容液を噴出させることができる正倒立両用機構を組み込んだものがある（例えば特許文献１参照）。
【先行技術文献】
【特許文献】
【０００４】
【特許文献１】特開２００７−１７５６０９号公報
【発明の概要】
【発明が解決しようとする課題】
【０００５】
ところでこのような正倒立両用機構を設ける場合は、構造の複雑化やパーツ数の増大を伴うことになる。このため、正立姿勢及び倒立姿勢のいずれにおいても内容液を噴出させることができる機能をより簡素な構成で実現させることが求められている。
【０００６】
本発明は、このような点を解決することを課題とするものであり、従来のような正倒立両用機構を用いることなく、正立姿勢及び倒立姿勢のいずれにおいても内容液を噴出させることができるトリガー式液体噴出容器を提供することを目的とする。
【課題を解決するための手段】
【０００７】
本発明は、筒状となる口頸部を有し内容液を収容可能な容器本体と、該口頸部に装着され、操作レバーを牽曳することによりポンプを作動させて該内容液を内部通路を通して噴出口から噴出させる噴出器とを備えるトリガー式液体噴出容器において、
前記容器本体は、前記内容液の収容空間を有し減容変形可能な内層体と、該内層体を内側に納めて該容器本体の外殻をなすとともに該内層体との相互間に通じる通気口を有する外層体とを備える二重容器であって、
前記口頸部の内側に配置される有底筒状の本体部と、一端が前記収容空間に通じるとともに他端が前記内部通路に通じるパイプ部とを有するアダプターを設けたトリガー式液体噴出容器である。
【０００８】
前記噴出器は、前記口頸部に設けた雄ねじ部に対応する雌ねじ部を有する装着キャップと、該装着キャップを回転可能且つ抜け出し不能に保持するインテイクを有し、
前記インテイクは、前記アダプターに連結する爪部を有することが好ましい。
【０００９】
前記本体部と前記パイプ部とを一体に連結することが好ましい。
【００１０】
前記本体部は前記パイプ部を挿通させる筒状部を有し、該筒状部は該パイプ部の外周面に当接するシール部を有することが好ましい。
【００１１】
前記パイプ部は、前記本体部の底面から前記収容空間に向けて突出するものであって、該パイプ部の下端開口は、前記容器本体の正立姿勢において、該収容空間に収容された内容液の液面よりも下方に位置することが好ましい。
【発明の効果】
【００１２】
本発明では、内容液を収容する容器本体を、内容液の収容空間を有し減容変形可能な内層体と、内層体を内側に納めるとともに該内層体との相互間に通じる通気口を有する外層体とを備える二重容器としている。すなわち、操作レバーを牽曳してポンプを作動させると収容空間は減圧されるため、容器を倒立姿勢にしていても収容空間の内容液を吸引して外界へ噴出させることができる。また本発明では、口頸部の内側に配置される有底筒状の本体部と、一端が収容空間に通じるとともに他端が噴出器の内部通路に通じるパイプ部とを有するアダプターを設けている。すなわち、口頸部の内側にはアダプターの本体部を配置しているため、ここに溜まる内容液の量が少なくなる。これにより、収容空間に残る内容液の量を減らすことができる。
【００１３】
噴出器を、口頸部に設けた雄ねじ部に対応する雌ねじ部を有する装着キャップと、装着キャップを回転可能且つ抜け出し不能に保持するインテイクとを備えるものとし、インテイクに、アダプターに連結する爪部を設ける場合は、ねじが緩む向きに装着キャップを回転させればアダプターも一緒に容器本体から取り外すことができるため、使い勝手がよくなる。
【００１４】
また、本体部とパイプ部とを別々の部材で構成することも可能であるが、本体部とパイプ部とを一体に連結することによってパーツ数を減らすことができる。なお、本体部とパイプ部とを別々の部材で構成する場合は、本体部にパイプ部を挿通させる筒状部を設け、筒状部にパイプ部の外周面に当接するシール部を設けることによって、倒立姿勢に変位させた場合でも本体部とパイプ部との隙間からアダプターの内部に内容液が入り込むことが無くなる。これにより、収容空間に残る内容液の量を最小限に抑えることができる。
【００１５】
パイプ部を、本体部の底面から収容空間に向けて突出するものとし、パイプ部の下端開口を、容器本体の正立姿勢において、収容空間に収容された内容液の液面よりも下方に位置させる場合は、使用開始に当たって最初に内容液が噴出するまでの操作レバーの牽曳回数を減らすことができる。
【図面の簡単な説明】
【００１６】
【図１】本発明に従うトリガー式噴出容器の一実施形態を示す図であって、（ａ）は側面図であり、（ｂ）は下面図であり、（ｃ）は噴出器を取り付ける前の詰め替え用の容器本体を（ａ）に対して９０度ずれた向きから示す側面図である。
【図２】図１（ａ）に示すトリガー式噴出容器の部分拡大図である。
【図３】本発明に従うトリガー式噴出容器の他の実施形態を示す、側面視での部分拡大図である。
【図４】図３に示す実施形態の変形例を示す、側面視での部分拡大図である。
【図５】本発明に従うトリガー式噴出容器の更に他の実施形態を示す、側面視での部分拡大図である。
【発明を実施するための形態】
【００１７】
以下、図面を参照して、本発明であるトリガー式噴出容器の一実施形態について説明する。なお、本明細書、特許請求の範囲、要約書における「上」、「下」の関係は、トリガー式噴出容器を正立姿勢にした状態（図１（ａ）に示す状態）での位置をいう。
【００１８】
図１において、符号１は容器本体である。容器本体１は、内容液Ｍを収容する収容空間Ｓを有する内層体２と、内層体２を内側に納める外層体３とを備えた二重容器として構成されている。
【００１９】
内層体２は、薄肉の合成樹脂製であって、減容変形自在となっている。また外層体３は、厚みのある合成樹脂製であって、内容液が減少しても内層体２のみが減容変形するようにしている。本実施形態の外層体３は、筒状をなし、その上端部において内層体２と固着する口頸部３ａと、口頸部３ａから下方に向けて拡径する肩部３ｂと、肩部３ｂに連結するとともに矩形筒状になる胴部３ｃと、胴部３ｃの下端を閉鎖する底部３ｄとを備えている。また口頸部３ａの外周面には雄ねじ部３ｅが設けられている（図２参照）。
【００２０】
本実施形態の内層体２と外層体３は、相互に相溶性が低い合成樹脂を剥離可能に積層させたものである。図示は省略するが、内層体２と外層体３との間には、上下方向に延在して内層体２と外層体３とを部分的に接合する、１本或いは複数本の接着帯を設けてもよい。なお、このような内層体２と外層体３は、内層体２の合成樹脂素材と外層体３の合成樹脂素材とが積層されたパリソンを、ブロー成形することによって得ることができるが、他にも、試験管状に形成したプリフォームを２軸延伸ブロー成形することや、外層体及び内層体を個別に形成し、その後、内層体を外層体内に装着するものでもよい。
【００２１】
また本実施形態の外層体３は、底部３ｄにおいて、内層体２との相互間に通じる通気口３ｆを備えている。上述したブロー成形においては、積層パリソンを割り金型で食い切ることによって、底部３ｄには内層体２同士を間に挟んで外層体３が両外側に位置するリブ状のピンチオフ部が形成されることになる。ここで、内層体２と外層体３は相互に相溶性が低い合成樹脂で形成されているため、例えば衝撃等を加えることによって両外側の外層体３が内側の内層体２から剥離し、ピンチオフ部を開口させることができる。本実施形態の通気口３ｆは、この底割れ状の開口を利用して設けている。なお、通気口を設ける部位は任意であり、肩部３ｂや胴部３ｃ等に孔を形成して設けてもよい。また、通気口には、内層体２との相互間への空気の流入を許容する一方、この相互間からの空気の流出を妨げる逆止弁を設けてもよい。
【００２２】
容器本体１には、収容空間Ｓの内容液を噴出させるための噴出器４が装着される。図２に示すように噴出器４は、揺動する操作レバー５と、操作レバー５を牽引することにより作動するポンプ６と、ポンプ６によって吸引される内容液Ｍを通す内部通路７と、内部通路７の内容液Ｍを外界へ噴出させる噴出口８を備えるものである。なお、噴出器４の内部構造は既知のトリガー式噴出器と同様であるため、説明を省略する。
【００２３】
噴出器４は、口頸部３ａに噴出器４を固定保持するための装着キャップ９を備えている。本実施形態の装着キャップ９は円筒状であって、その内周面には、雄ねじ部３ｅに対応する雌ねじ部９ａが設けられている。また装着キャップ９の上部には、雄ねじ部３ｅを設けた内周面よりも小径になる小径筒部９ｂが設けられている。
【００２４】
更に噴出器４は、インテイク１０を備えている。インテイク１０は、内部通路７の入口側の通路を形成するとともに後述するパイプ部に連結する管状部１０ａと、管状部１０ａに連結するとともに有蓋筒状となるベース部１０ｂと、ベース部１０ｂの下端から径方向外側に向けて延在する上フランジ部１０ｃとを備えている。ここで上フランジ部１０ｃは、装着キャップ９の小径筒部９ｂよりも下方に位置するとともに小径筒部９ｂよりも大径であり、また装着キャップ９の内面よりも小径であるので、装着キャップ９を回転可能且つ抜け出し不能に保持することができる。また、上フランジ部１０ｃの下面には、筒状（間欠状であってもよい）をなすとともにその一部が径方向外側に突出する爪部１０ｄが設けられている。
【００２５】
インテイク１０の下方には、アダプター１１が設けられている。アダプター１１は、口頸部１１内側に配置される有底筒状の本体部１１ａを備えている。本体部１１ａの上部内周面には、爪部１０ｄに連結する凹状部１１ｂが設けられている。また本体部１１ａの上端部には、上フランジ部１０ｃの下面に沿って径方向外側に向けて延在する下フランジ部１１ｃが設けられている。ここで下フランジ部１１ｃの下方には、噴出器４を容器本体１に装着した際に下フランジ部１１ｃと口頸部３ａとで挟持される、リング状になるシール体１２が設けられている。
【００２６】
またアダプター１１は、一端が収容空間Ｓに通じており、他端が管状部１０ａに挿入されて内部通路７に通じるパイプ部１１ｄを備えている。本実施形態のパイプ部１１ｄは、本体部１１ａに一体に連結するものである。本実施形態のパイプ部１１ｄは、本体部１１ａの底面から収容空間Ｓに向けて突出しており、パイプ部１１ｄの下端開口１１ｆは、使用開始に当たって容器本体１を正立姿勢にした状態において、内容液Ｍの液面よりも下方に位置するようにしている。
【００２７】
このような構成になるトリガー式噴出容器にあっては、操作レバー５を牽曳することによってポンプ６が作動し、内部通路７及びパイプ部１１ｄを介して収容空間Ｓが減圧される。本実施形態では、使用開始に当たって容器本体１を正立姿勢にした状態において、下端開口１１ｆは内容液Ｍに漬かっているので、操作レバー５を最初に牽曳した直後から内容液Ｍを吸引することができる。すなわち、使い始めにおける最初に内容液Ｍが噴出するまでの操作レバー５の牽曳回数を減らすことができる。そして、操作レバー５の牽曳を繰り返すことによって、内容液Ｍは噴出口８から噴出される。なお、操作レバー５を牽曳すれば、収容空間Ｓは容器本体１の姿勢にかかわらずに減圧されるため、容器本体１が正立姿勢であっても倒立姿勢であっても内容液Ｍを噴出させることができる。
【００２８】
また、口頸部３ａの内側には有底筒状の本体部１１ａが配置されているため、容器本体１を倒立姿勢にしても、ここに溜まる内容液Ｍの量は僅かとなる。これにより、収容空間Ｓに残る内容液Ｍの量を減らすことができる。
【００２９】
収容空間Ｓの内容液Ｍを噴出させた後は、ねじが緩む向きに装着キャップ９を回転させて、容器本体１から噴出器４を取り外す。本実施形態のアダプター１１は、爪部１０ｄによってインテイク１０に保持されているので、噴出器４と一緒に取り外すことができる。そして、図１（ｃ）に示す詰め替え用の容器本体１からキャップ１３を取り外した後、先の噴出器４をこの容器本体１に取り付けることで、噴出器４を継続して使用することができる。
【００３０】
なお、図３に示すようにアダプター１１には、爪部１０ｄの径方向内側に位置する環状部１１ｇを設けても良い。このような環状部１１ｇを設ける場合は、爪部１０ｄの径方向内側への撓みを抑えることができるので、インテイク１０とアダプター１１とをより確実に連結させることができる。なお、図２に示す実施形態ではアダプター１１に下フランジ部１１ｃを設け、下フランジ部１１ｃと口頸部３ａの間でシール体１２を挟持するようにしたが、下フランジ部１１ｃを省略して、図４に示すように上フランジ部１０ｃと口頸部３ａ及び本体部１１ａの間でシール体１２を挟持するようにしてもよい。
【００３１】
また、これまでに説明した実施形態では、アダプター１１の本体部１１ａとパイプ部１１ｄとは一体に連結しているが、図５に示すように、アダプター１１とは別体になるパイプ部１４を備えるものとしてもよい。本実施形態においては、アダプター１１にパイプ部１４を挿通させる筒状部１１ｈを設け、筒状部１１ｈの内周面にパイプ部１４の外周面に当接するシール部１１ｊを設けている。これにより、容器本体１を倒立姿勢に変位させた場合でも、筒状部１１ｈとパイプ部１４との隙間からアダプター１１の内部に内容液Ｍが入り込むことが無くなるので、収容空間Ｓに残る内容液Ｍの量を最小限に抑えることができる。
【００３２】
本発明に従うトリガー式液体噴出容器は、上述した実施形態に限定されるものではなく、特許請求の範囲に従う範囲で種々の変更が可能である。例えば上述した３つの実施形態において、パイプ部１１ｄ、１４は、本体部１１ａの底面から収容空間Ｓに向けて突出するものであるが、この底面から突出しないように（パイプ部１１ｄ、１４の下端開口１１ｆが本体部１１ａの底面に位置するように）してもよく、この場合は、容器本体１を倒立姿勢にした状態でも、収容空間Ｓの内容液Ｍをほぼ最後まで噴出させることができる。
【符号の説明】
【００３３】
１：容器本体
２：内層体
３：外層体
３ａ：口頸部
３ｂ：肩部
３ｃ：胴部
３ｄ：底部
３ｅ：雄ねじ部
３ｆ：通気口
４：噴出器
５：操作レバー
６：ポンプ
７：内部通路
８：噴出口
９：装着キャップ
９ａ：雌ねじ部
９ｂ：小径筒部
１０：インテイク
１０ａ：管状部
１０ｂ：ベース部
１０ｃ：上フランジ部
１０ｄ：爪部
１１：アダプター
１１ａ：本体部
１１ｂ：凹状部
１１ｃ：下フランジ部
１１ｄ：パイプ部
１１ｆ：下端開口
１１ｇ：環状部
１１ｈ：筒状部
１１ｊ：シール部
１２：シール体
１３：キャップ
１４：パイプ部
Ｍ：内容液
Ｓ：収容空間
【図１】
0006438855.tif 000002
【図２】
0006438855.tif 000003
【図３】
0006438855.tif 000004
【図４】
0006438855.tif 000005
【図５】
0006438855.tif 000006